(57)【要約】  以下の特徴を備えた、遮光システムを備えた透明で調節可能なカヤックを提供する。複数のカヤックを可逆的に接続するように適応された二対の取付け装置（４）が設けられる。パドル（２）の管状体（２．１）は中心で可逆的に分割可能である。船体（１）の内容積には、座席（１．３）に位置するユーザを遮蔽するように適応された布（３）を収容するように適応された容器（３．２）が設けられる。前記布（３）は長方形の形状を有することが好ましく、かつ隅部に少なくとも四つの連結装置（３．１）が設けられる。船体（１）の上面に複数の凹所（１．５）が設けられ、そのうちの少なくとも一対は船首（１．１）に配置され、かつ少なくとも一対は船尾（１．２）に配置され、各々がパドル（２）の管状体（２．１）の一部分を収容するように適応される。前記管状体（２．１）は各端に、布（３）の対応する連結装置（３．１）の少なくとも一つを可逆的に接続するように適応された少なくとも一つの連結装置（２．４）が設けられる。前記船体（１）は、カヤックの浮遊及びその完全な透明性を確実にするように適応された、何らかの天然又は合成ポリマーから作製されることによって特徴付けられる。【選択図】  図１
2019509211.tif 000002
【特許請求の範囲】
【請求項１】
船首（１．１）及び船尾（１．２）が設けられ、かつ上面に開口（１．４）が設けられた船体（１）によって構成され、前記開口を介してユーザが前記船体（１）の内容積に配置された座席（１．３）にアクセスすることができ、さらに、管状体（２．１）の端部に各々配置された一対のブレード（２．２）によって構成されるパドル（２）をも設けられた、遮光システムを備えた透明で調節可能な（modulatable）カヤックであって、前記船首（１．１）及び前記船尾（１．２）ならびに前記船体（１）の両側に配置され、複数のカヤックを可逆的に接続するように適応され、一般的に市販されており、浮遊しかつ海洋環境に耐える何らかのプラスチックポリマー製である何らかの一つの可逆的連結システムによって構成された、少なくとも二対の取付け装置（４）が設けられること；前記パドル（２）の前記管状体（２．１）が、一般的な接続システム（２．３）によって中心で可逆的に分割可能であること；前記船体（１）の内容積には、前記カヤックの座席（１．３）に位置するユーザを遮蔽するように適応された少なくとも一つの布（３）を折り畳まれた状態で収容するように適応された一般的な容器（３．２）が設けられること；前記布（３）は長方形の形状であることが好ましく、かつ各々が隅部に配置される少なくとも四つの連結装置（３．１）が設けられること；前記船体（１）の上面には、前記船首（１．１）に配置される少なくとも一対及び前記船尾（１．２）に配置される少なくとも一対を含め、複数の凹所（１．５）が設けられ、各々が前記パドル（２）の前記管状体（２．１）の一部分を収容するように適応されること；前記管状体（２．１）には各端に、前記布（３）の対応する連結装置（３．１）の少なくとも一つを可逆的に接続するように適応された、少なくとも一つの連結装置（２．４）が設けられること；前記船体（１）は、カヤックの浮遊及びその完全な透明性を確実にするように適応された何らかの天然又は合成ポリマーから作製されることによって特徴付けられること；を特徴とする遮光システムを備えた透明で調節可能なカヤック。
【請求項２】
前記座席（１．３）は、前記座席の高さの調整を可能にする一対の調整可能なバンドによって、前記開口（１．４）の縁部に接続されることを特徴とする、請求項１に記載の遮光システムを備えた透明で調節可能なカヤック。
【請求項３】
前記船体（１）を形成するポリマーはプレキシガラスであることを特徴とする、請求項１又は２の何れか一つに記載の遮光システムを備えた透明で調節可能なカヤック。
【請求項４】
前記パドル（２）の前記管状体（２．１）には、前記管状体（２．１）と二つのブレード（２．２）の各々との間の接点に接続システム（２．３）も設けられることを特徴とする、請求項１〜３の何れか一つに記載の遮光システムを備えた透明で調節可能なカヤック。
【請求項５】
前記船体（１）の内容積には、前記パドル（２）の前記管状体（２．１）から切り離されたブレード（２．２）を収容するように適応されたブレードホルダポケットが設けられることを特徴とする、請求項４に記載の遮光システムを備えた透明で調節可能なカヤック。
【請求項６】
前記パドル（２）には、前記管状体（２．１）の両端の各々に対し複数の連結装置（２．４）が設けられることを特徴とする、請求項１〜５の何れか一つに記載の遮光システムを備えた透明で調節可能なカヤック。
【請求項７】
前記パドル（２）の前記管状体（２．１）には、一般的に市販されている何らかの一つの可逆的連結システムによって構成され、さらなる管状体（２．１）を可逆的に接続するように適応された、少なくとも一つの固定装置（２．５）が設けられることを特徴とする、請求項１〜６の何れか一つに記載の遮光システムを備えた透明で調節可能なカヤック。
【請求項８】
前記取付け装置（４）には、対応する相手ねじ山が設けられた第１カヤック及び第２カヤックの取付け装置（４）を横断させることによって二艇のカヤックを可逆的に一体に固定するように適応された、一般的ねじ山を備えた貫通ピンが設けられ、前記取付け装置（４）にはおそらく、前記船体（１）を何らかの一つの支持体に結び付けるためにロープ又は帯片を通すことができるように適応された穴（４．１）が設けられることを特徴とする、請求項１〜７の何れか一つに記載の遮光システムを備えた透明で調節可能なカヤック。
【請求項９】
少なくとも二つの水密区画（５、５’）が設けられ、そのうちの一つを適切な弁（５．１）によって浸水させることができることを特徴とする、請求項１〜８の何れか一つに記載の遮光システムを備えた透明で調節可能なカヤック。
【請求項１０】
各区画が浮遊することを特徴とする、請求項１〜９の何れか一つに記載の遮光システムを備えた透明で調節可能なカヤック。
【発明の詳細な説明】
【技術分野】
【０００１】
本発明は、スポーツ器具、特に水上スポーツの分野で機能し、詳しくは、本発明は特定のカヤックに関する。
【背景技術】
【０００２】
本発明の目的は、同一タイプの他のカヤックを追加可能なカヤックであって、それらが完全に透明であることを特徴とするカヤックを提案することである。
【０００３】
カヤックという用語は一般的に、パドルすなわち管状部と端部に配置された一つ又は二つのブレードとを備えた道具の働きによって移動する小型船を指しており、パドルは水中に浸漬されたときに、パドルと当該手段との間に機械的な拘束無く生じる当該手段の推進力のアンカーポイントを構成する。実際、パドルは、オールとは異なり、枢支点（オール受け）を介してボートに結合されない。したがって、カヤックへのエネルギの伝達はカヌー漕ぎ手／カヤック漕ぎ手のアンカーポイントを介して行われ、両手でパドルを掴むことから始まる筋肉／運動連鎖を介して、主に身体の上部の力に委ねられる。
【０００４】
スポーツ競技に出るためのあらゆる種類のカヌー及びカヤックの用途に加えて、これらの小型船はしばしば、沖合に泳ぎに行くために、あるいは海での休暇中にも幾らか運動を楽しむために、水浴者によって使用される。
【０００５】
多くの様々な種類のカヌー又はカヤックがこれらのタイプのユーザのために市販されており、それらは標準的な形状から非常に変わった／特別な創作品まで広範囲に及ぶ。
【０００６】
例えば米国特許第2003233971(A1)号明細書は、取外し可能で嵌合可能なモジュール式コックピットを備え、それにより多くの異なる目的に使用可能になる、特定の種類のカヤックを記載している。別の特許、米国特許第2008121166(A1)号明細書は、一般的な乗用車に積み込んで運ぶように設計された折畳み可能なカヤックを記載しており、この特徴は、このカヤックを、夏季休暇のために海に旅行する家族用に特に適応される。
【０００７】
しかし、様々な種類の既存のカヤックの中に、他のカヤックを追加させることができるモジュール式のカヤックであって、それにより、身体的活動後に、バランスを保つことに関して気遣う必要なく、他のカヌー漕ぎ手／カヤック漕ぎ手と一緒に海で快適な休息のひと時を楽しむことを可能にするカヤックは存在しない。
【０００８】
そのような目的は請求項１に記載する特徴によって達成され、本発明の他の実施形態は従属請求項に記載する。
【先行技術文献】
【特許文献】
【０００９】
【特許文献１】米国特許第2003233971(A1)号明細書
【特許文献２】米国特許第2008121166(A1)号明細書
【発明の概要】
【００１０】
本発明によれば、透明で調節可能な（modulatable）カヤックは製作され、他の同様のカヤックと結合するように適応され、かつ遮光システムを設置するようにも適応される。前記カヤックは、複数の船体１を取付け装置４によって前後に次々に連結することができるように、相補的形状の船首１．１及び船尾１．２によって形成される船体１によって構成され、有利である。前記取付け装置４は、複数の船体１を相互に横に並んで可逆的に接続することを可能にするために、カヤックの側部にも存在することが有利である。
【００１１】
前記取付け装置４は、二つの対応する部品を安定的にかつ可逆的に接続するように適応された、市販されている何らかの機構によって構成され、有利である。この場合、前記装置は、浮遊しかつ海洋環境に耐える何らかの天然材料又は合成材料、好ましくはプラスチック又はゴムから作製することができる。さらに一層安定した接続をもたらすために、前記取付け装置４は、相互に係合することによって、接続したい取付け装置４の二つの部分を横断する枢軸又はねじを設けることもでき、有利である。
【００１２】
前記取付け装置４は、ユーザがカヤックを自動車の荷台又は何らかの他の種類の支持体に結び付けるためにロープ又は帯片を通すことのできる穴４．１を設けることもでき、有利である。
【００１３】
前記船体１は二つの水密区画５‐５’によって構成することができ、そのうちの一つの区画だけを船体１の外面に配置された弁５．１によって浸水させることができ、有利である。このようにして、強風の場合にユーザの漕艇を容易にするために、船体１のフローティングラインを下げることができる。
【００１４】
船体１の上面には開口１．４が設けられ、そこを介してユーザは自分の脚を挿入して適切な座席１．３に着座する。座席は、前記座席１．４を開口１．４の縁部に接続する一対（右側に一つ、左側に一つ）の調整可能なバンドを介して、調整可能であることが有利である。
【００１５】
前記船体１の前記上面には、船首１．１に一対、船尾１．２にもう一対の少なくとも二対の凹所１．５も設けられる。前記凹所１．５は、カヤックの不可欠の部品を形成するパドル２の管状体２．１の一部分を収容するように構成されることが有利である。
【００１６】
前記パドル２は、管状体２．１の両端に接続された一対のブレード２．２、及び前記管状体２．１の中間点に位置することが好ましい接続システム２．３によって構成される。接続システム２．３は、前記管状体２．１を少なくとも二つの部分に可逆的に分割することを可能にし、有利である。管状体２．１の端部とブレード２．２との間の接触位置には、少なくとも一つの連結装置２．４を配設することが有利である。
【００１７】
また、管状体２．１の部分が凹所１．５に挿置された後、ブレード２．２が風に曝され続けないように、ブレード２．２をパドル２の管状体２．１から切り離すことも可能である。この場合、船体１の内部空間にブレードホルダポケットを設けることが有利である。
【００１８】
船体１の内容積に容器３．２を配設することが有利であり、その中には布３が折り畳まれて配置され、そのような布３は長方形であることが好ましく、その四隅に、パドル２の前記管状体２．１の前記連結装置２．４に対応する四つの対応する連結装置３．１が設けられる。
【００１９】
このようにして、二艇の異なる船体１を漕ぐ二人のユーザは、前記取付け装置４によって接続し、それぞれのパドル２を二つの部分に分割し、管状体２．１の二つの部分を適切な凹所１．５に挿置し、かつ前記布３の連結装置３．１を一緒にかつ前記パドル２の連結装置２．４と接続することによって、海にいるときにそこで休息することが可能な遮光空間を得ることができ、有利である。
【００２０】
また、別のカヌー漕ぎ手／カヤック漕ぎ手を必要とすることなく、ユーザ自身の座席を遮光するために、ユーザが独力で管状体２．１の四つの部分を四つの凹所１．５に挿入することができるように、一般的な固定装置２．５によってパドル２の既存の管状体２．１にさらなる管状体２．１を接続することもでき、有利である。
【００２１】
三艇以上のカヤックを連結することを希望する場合、前記パドル２は、管状体２．１の同一部分に複数の布３の連結装置３．２を接続することができるように、前記管状体２．１の各端に複数の連結装置２．４を設けることができることが有利である。
【００２２】
本発明のカヤックの各構成部品は浮遊し、かつ船体１はプレキシガラス製、又はいずれにしても、船体１の浮遊及びその完全な透明性を確実にするように適応された天然又は人工ポリマー製であることが有利である。
【図面の簡単な説明】
【００２３】
次に、非限定実施例として少なくとも一つの好適な実施形態で、添付の図面を用いて、本発明について以下に説明する。
【００２４】
【図１】側方取付け装置４によって側方に接続された二艇のカヤックを示す。各船体１に、船首１．１、船尾１．２、上部開口１．４があり、この開口を介して内部座席１．３が見える。上面には四つの凹所１．５があり、かつ遮光布の容器３．２が見える。カヤックの横に、接続システム２．３によって二つの部分に分割される管状体２．１及びブレード２．２における連結装置２．５によって構成されるパドル２が示される。
【図２】船首１．１及び船尾１．２用の取付け装置４によって互いに前後に接続された二艇の船体１を示す。上部開口１．４によってアクセスできる座席１．３も見える。凹所１．５が存在し、そのうちの四つはパドル２の管状体部分２．１によって占有され、管状体部分はその頂部に、布３の連結装置３．１に接続される連結装置２．４を有する。
【図３】全ての船体４の右側に一つ、左側に一つ存在し、相互に補完するように構成され、この実施例では船体１を何らかの荷台に結び付けることを可能にするように適応された穴４．１が設けられた、二つの取付け装置４を示す。
【図４】管状体２．１をさらなる管状体２．１と接続する二つの固定装置２．５が設けられたパドル２を示す。接続システム２．３及び連結装置２．４によって管状体２．１に接続されたブレード２．２をも示す。
【図５】船体１が二つの水密区画５‐５’に分割され、そのうちの下方の区画をカヤックの側面に位置する弁５．１によって浸水させることができる、カヤックの側面図を示す。
【発明を実施するための形態】
【００２５】
図１を参照すると、船体１の横に配置された取付け装置４によって相互に横に並んで接続された、本発明の二艇のカヤックが示されている。前記取付け装置４はまた、図２に示すようにカヤックを前後にも接続することができるように、船体１の船首１．１及び船尾１．２にも存在する。
【００２６】
詳しくは、前記取付け装置４の一つの可能な実施形態は図３に示されており、この図で、係合される二つの部品の輪郭は相補的であり、かつ二艇の船体１を可逆的に接続するように適応されていることが分かる。ここに提示する特定の実施形態では、前記取付け装置４には穴４．１が横断しており、カヤックをそれに積載して移送することを意図する支持体にカヤックを結びつけるために、前記穴４．１にベルト又はロープを通すことによって、例えば機械の荷台に結びつけられた船体１の容易な移送を可能にするのに役立つ。取付けをさらに一層安定させるために、二つの部品を横断するピン又はねじを装置４に装備させ、ピン又はねじ自体が取り外されるまで部品を固定的に接続することが可能である。
【００２７】
依然として図１に関連して、船体１の上面に開口１．４が設けられていることが示されており、この開口を介してユーザは、座席１．３及び容器３．２が配置されたカヤックの内容積にアクセスすることができる。カヤックの好適な実施形態では、前記座席１．３は、ユーザの選好に従って高さを調整するように右側に一つ、左側に一つの一対の調整可能なバンドによって、前記開口１．４の縁部に接続される。
【００２８】
カヤックの横に、ユーザが当該手段を推進させる装置を構成するパドル２が示されている。前記パドル２は管状体２．１によって構成され、その両端にブレード２．２が接続されている。前記管状体２．１の特別な特徴は、前記管状体２．１の中心に配置された接続システム２．３のため、少なくとも二つの均等な部分に分割することができるということから成る。パドル２の二つの部分への分割は言うまでもなく可逆的であり、前記接続システム２．３は、一方の管状体部分２．１のねじ山が他方の部分の相手ねじ山に対応するねじシステムによって構成されることが好ましい。
【００２９】
パドル２の別の特別な特徴は、各々が管状体２．１の一端のブレード２．２の連結部に配置される、少なくとも二つの連結装置２．４がパドルに設けられることから成る。前記連結装置２．４は、既述の容器３．２内に配置された布３に可逆的に接続されるように働く。
【００３０】
前記容器３．２は実際、漕艇後に休息することを意図するユーザを遮蔽するように適応された布３を折り畳まれた状態で収容するように適応される。
【００３１】
前記布３は、長方形の形状を有することが好ましく、かつ例えば一般的なスナップ‐フック又はフックによって構成される四つの対応する連結装置３．２を四隅に設けられる。
【００３２】
図２に示される通り、上述の特徴のため、船体１の上面に位置する適切な凹所１．５にパドル２の複数部分を配設し、かつそれぞれの布３を一緒に接続し合うと共に、パドル２の端部に位置する連結装置２．４とも接続することによって、二艇のカヤックを付着させかつ遮光させることができる。
【００３３】
複数の船体１を一体に付着させ、かつそれらを遮光することを希望する場合、複数の布３のそれぞれの連結装置３．２と接続することができるように、複数の連結装置２．４を前記パドルに配設することが有用である。
【００３４】
本発明の好適な実施形態では、パドル２の管状体２．１には一般的な固定装置２．５も設けられる。それは、各管状体２．１を二つの部分に分割することによって、一人の漕ぎ手が船体１の四つの凹所１．５にそれらを挿置することができるように、かつ前記布３を上述したようにそれらに接続することによって、一人の漕ぎ手が、別のカヌー漕ぎ手／カヤック漕ぎ手を必要とすることなく、自らを遮蔽することができるように、カヌー漕ぎ手／カヤック漕ぎ手が一人だけで一般的な固定装置を付けた二つの管状体２．１を運ぶことを可能にする。
【００３５】
カヤックの別の可能な実施形態は、布３が設置された後、ブレード２．２が上方に突出して風に曝され続けないように、ブレード２．２をパドル２の管状体２．１から切り離す可能性をも提供する。この場合、ブレードを水中に紛失することを回避するために、船体１の内容積にブレードホルダポケットが配設される。
【００３６】
本発明の一実施形態では、船体１は、図５に示すように二つの水密区画５‐５’に分割され、常に乾燥している上部区画を含む一方、下部区画は適切な弁５．１を作動させることによって浸水可能である。この選択肢は、強風状態の場合にカヌー漕ぎ手／カヤック漕ぎ手がカヤックのフローティングラインを下げることを可能にする。
【００３７】
本発明のカヤックを審美的に際立たせる主な特徴は、船体１の完全な透明性であり、それは、プレキシガラス製、又はいずれにしても、船体１の浮遊及び透明性を確実にするポリマー製であることが好ましい。
【００３８】
最後に、請求の範囲に記載する保護の範囲から逸脱することなく、当業者にとって明白な変更、追加、又は変形を上述した本発明に施すことができることは明らかである。
【図１】
2019509211.tif 000003
【図２】
2019509211.tif 000004
【図３】
2019509211.tif 000005
【図４】
2019509211.tif 000006
【図５】
2019509211.tif 000007
【国際調査報告】
2019509211.tif 000008
2019509211.tif 000009